(57)【要約】  【課題】非金属の偽硬貨が投入された場合でも、係員による対応を極力減らすことのできる硬貨処理装置を提供する。  【解決手段】投入硬貨の真偽を鑑別する鑑別部５と、鑑別部５で真硬貨と鑑別された硬貨を一時保留部６へ搬送する入金搬送部８と、偽硬貨と鑑別された硬貨を入出金口２へ搬送する出金搬送部９と、入出金口２の硬貨の有無を検出する入出金口センサ２１と、一時保留部６の硬貨の有無を検出する一時保留部センサ２２と、入出金口２へ返却される硬貨を検出する出金判別部２３とを備える。出金判別部２３は磁気センサからなるため、非金属の偽硬貨が投入された場合、当該偽硬貨が入出金口２へ返却されたか内部に残留したままかの確認ができない。そこで、一時保留部６の全硬貨を出金搬送部９を通して返却することで通路チェックを実施し、内部に滞留している偽硬貨を排出するようにした。【選択図】  図１
2006079428.tif 000002
【特許請求の範囲】
【請求項１】
投入された硬貨の真偽を鑑別する鑑別部と、前記鑑別部で真硬貨であると鑑別された硬貨を一時保留部へ搬送する第１の搬送手段と、前記鑑別部で偽硬貨であると鑑別された硬貨を返却口へ搬送する第２の搬送手段とを備えた硬貨処理装置において、
前記鑑別部が非金属の偽硬貨を検出した場合に、前記一時保留部に保留されている全ての硬貨を、前記第２の搬送手段により返却口へ返却することを特徴とする硬貨処理装置。
【請求項２】
請求項１に記載の硬貨処理装置において、
前記鑑別部で鑑別された偽硬貨の枚数を計数する計数手段と、
前記返却口における硬貨の有無を検出する第１の検出手段と、
前記一時保留部における硬貨の有無を検出する第２の検出手段と、を備え、
前記計数手段の計数結果と、前記第１の検出手段の検出結果と、前記第２の検出手段の検出結果とに基づいて、前記一時保留部の硬貨を返却口へ返却するか否かを決定することを特徴とする硬貨処理装置。
【請求項３】
請求項２に記載の硬貨処理装置において、
前記計数手段は、金属の偽硬貨の枚数を計数する第１の計数手段と、非金属の偽硬貨の枚数を計数する第２の計数手段とを備えていることを特徴とする硬貨処理装置。
【請求項４】
請求項３に記載の硬貨処理装置において、
前記第１および第２の計数手段の各計数値に基づいて、前記鑑別部で鑑別された偽硬貨が非金属の偽硬貨１枚のみか否かを判定し、
偽硬貨が非金属の偽硬貨１枚のみであり、前記第１の検出手段が返却口の硬貨を検出せず、かつ、前記第２の検出手段が一時保留部に硬貨のあることを検出した場合に、前記一時保留部の硬貨を返却口へ返却することを特徴とする硬貨処理装置。
【請求項５】
請求項２または請求項３に記載の硬貨処理装置において、
前記鑑別部で鑑別された偽硬貨の枚数が２枚以上で、かつ、前記第２の検出手段が一時保留部に硬貨のあることを検出した場合に、前記一時保留部の硬貨を返却口へ返却することを特徴とする硬貨処理装置。
【請求項６】
請求項４または請求項５に記載の硬貨処理装置において、
前記第２の検出手段が一時保留部に硬貨のあることを検出しなかった場合に、係員対応のエラー処理を行うことを特徴とする硬貨処理装置。
【請求項７】
請求項１ないし請求項６のいずれかに記載の硬貨処理装置において、
前記鑑別部が非金属の偽硬貨を検出した場合に、前記返却口へ返却される真硬貨の枚数と、前記一時保留部に保留されていた真硬貨の枚数とを比較し、前者が後者に満たないときは、返却動作を所定回数繰り返して実行することを特徴とする硬貨処理装置。
【請求項８】
請求項１ないし請求項７のいずれかに記載の硬貨処理装置において、
前記返却口へ返却される硬貨を検出する第３の検出手段を備え、
前記第３の検出手段は、金属物体の検出が可能で非金属物体の検出が不可能な金属検知センサからなることを特徴とする硬貨処理装置。
【請求項９】
請求項１ないし請求項７のいずれかに記載の硬貨処理装置において、
前記返却口へ返却される硬貨を検出する第３の検出手段を備え、
前記第３の検出手段は、不透明物体の検出が可能で透明物体の検出が不可能な光センサからなることを特徴とする硬貨処理装置。
【発明の詳細な説明】
【技術分野】
【０００１】
本発明は、ＡＴＭ（自動預金支払機）などに内蔵される硬貨処理装置に関するものである。
【背景技術】
【０００２】
ＡＴＭに内蔵される硬貨処理装置では、投入された硬貨を取り込んで鑑別部により真偽鑑別を行い、鑑別の結果「真」と判定された硬貨（以下「真硬貨」という）は一時保留部へ搬送され、鑑別の結果「偽」と判定された硬貨（以下「偽硬貨」という）は返却口へ返却されるようになっている。そして、返却口付近に設けられた出金判別部で返却硬貨の通過を検出することにより、硬貨が正しく返却口へ返却されたかどうかを判定している。
【０００３】
従来の硬貨処理装置においては、上記出金判別部は、硬貨を光学的に検知するＣＣＤセンサにより構成されていた。しかしながら、ＣＣＤセンサは、コストが高く、また埃に弱いために頻繁にメンテナンスが必要であるという欠点がある。そこで、ＣＣＤセンサに代えて、コストが安く、埃の影響も受けにくい磁気センサを用いれば、上述した問題を解消することができ、出金判別部にこのような磁気センサを用いた硬貨処理装置が実用化されている。
【０００４】
一方、硬貨処理装置では、入出金する硬貨が何らかの原因により正常に搬送されず、搬送路に滞留することがある。紙幣処理装置の場合は、通路チェック用の模擬紙幣を用意し、これを搬送路へ送り込むことによって通路チェックを行い、内部に残留した残留紙幣を排出することが行われている。ところが、硬貨処理装置の場合は、硬貨搬送路の幅が硬貨の径よりも広いために、単体の通路チェック用硬貨を搬送させただけでは通路チェックが不完全となり、ある程度まとまった量の貨幣を一度に搬送させないと、通路チェックの機能を担保することができない。この点に関し、下記の特許文献１には、一時保留部の硬貨を返却する際に、大径の硬貨と小径の硬貨とを混在状態で放出し、小径の硬貨同士のブリッジ状態を大径の硬貨が崩すことによって、内部に硬貨が滞留するのを防止した硬貨処理装置が記載されている。
【０００５】
【特許文献１】特開２００３−１８７２８７号公報（段落０００８、００７９〜００８０）
【発明の開示】
【発明が解決しようとする課題】
【０００６】
出金判別部に磁気センサを用いた硬貨処理装置は、上述したように、コストが安く、埃の影響も受けにくいという利点がある。しかしながら、磁気センサは非金属物体を検出できないため、樹脂（例えばプラスチック）のような非金属で作られた偽硬貨が投入された場合に、以下のような問題が生じる。
【０００７】
非金属の偽硬貨が投入されると、鑑別部によって当該硬貨が「偽」であると判定されるので、投入された偽硬貨は返却経路を通って返却口へ返却される。このとき、返却口付近に設けられた出金判別部が磁気センサから構成されていると、出金判別部は、返却される非金属の偽硬貨を検出することができない。したがって、非金属の偽硬貨が正しく返却されたのか、それとも内部に滞留したままなのかの判断ができない。このため、非金属の偽硬貨が返却口へ返却されたにもかかわらず、鑑別部で「偽」と鑑別された偽硬貨の枚数と、出金判別部が検出した偽硬貨の枚数とが一致しないので、エラー扱いとなって係員による対応が必要となる。また、偽硬貨が正常に返却されずに内部に滞留している場合も、同様に係員対応が必要となる。
【０００８】
このように、出金判別部に磁気センサを用いた場合は、非金属の偽硬貨に対する対策が不十分となり、エラーの発生によって係員の手を煩わせる機会が増えるとともに、顧客との間でトラブルが発生することも考えられる。前掲の特許文献１には、大径硬貨と小径硬貨を混在状態で放出することにより硬貨の内部滞留を回避する技術が開示されているが、非金属の偽硬貨が投入された場合の上述したような問題点とその対策については、なんら開示がない。
【０００９】
本発明は、上記課題を解決するものであって、その目的とするところは、非金属の偽硬貨が投入された場合でも、係員による対応を極力減らすことのできる硬貨処理装置を提供することにある。
【課題を解決するための手段】
【００１０】
本発明は、投入された硬貨の真偽を鑑別する鑑別部と、鑑別部で真硬貨であると鑑別された硬貨を一時保留部へ搬送する第１の搬送手段と、鑑別部で偽硬貨であると鑑別された硬貨を返却口へ搬送する第２の搬送手段とを備えた硬貨処理装置において、鑑別部が非金属の偽硬貨を検出した場合に、一時保留部に保留されている全ての硬貨を第２の搬送手段により返却口へ返却するようにしたものである。
【００１１】
本発明においては、非金属の偽硬貨が検出された場合、この偽硬貨を返却口へ返却する搬送手段と同じ搬送手段によって、一時保留部の全ての硬貨が返却口へ返却される。このため、偽硬貨が内部に残留したとしても、一時保留部の硬貨を通路チェック用の硬貨に利用して、偽硬貨を返却口へ排出することができる。この場合、一時保留部に保留されていた真硬貨も返却口へ排出されるので、結果として、顧客の投入した全ての硬貨（偽硬貨も含む）が返却されることになる。したがって、エラーを発生させて係員による対応を行う必要はなく、顧客とのトラブルも回避することができる。
【００１２】
本発明の実施形態においては、鑑別部で鑑別された偽硬貨の枚数を計数する計数手段と、返却口における硬貨の有無を検出する第１の検出手段と、一時保留部における硬貨の有無を検出する第２の検出手段とが設けられる。そして、鑑別部が非金属の偽硬貨を検出した場合に、計数手段の計数結果と、第１の検出手段の検出結果と、第２の検出手段の検出結果とに基づいて、一時保留部の硬貨を返却口へ返却するか否かを決定する。計数手段としては、金属の偽硬貨の枚数を計数する第１の計数手段と、非金属の偽硬貨の枚数を計数する第２の計数手段とを設ることができる。
【００１３】
本発明の実施形態においては、第１および第２の計数手段の各計数値に基づいて、鑑別部で鑑別された偽硬貨が非金属の偽硬貨１枚のみか否かを判定する。そして、鑑別部で鑑別された偽硬貨が非金属の偽硬貨１枚のみであり、前記第１の検出手段が返却口の硬貨を検出せず、かつ、前記第２の検出手段が一時保留部に硬貨のあることを検出した場合は、一時保留部の真硬貨を返却口へ返却する。また、鑑別部で鑑別された偽硬貨の枚数が２枚以上で、かつ、第２の検出手段が一時保留部に硬貨のあることを検出した場合も、一時保留部の真硬貨を返却口へ返却する。一方、第２の検出手段が一時保留部に硬貨のあることを検出しなかった場合は、係員対応のエラー処理を行う。このような方法によると、偽硬貨が投入された場合の処理を、状況に応じて的確に効率良く実行することができる。
【００１４】
本発明の実施形態においては、鑑別部が非金属の偽硬貨を検出した場合に、前記返却口へ返却される真硬貨の枚数と、前記一時保留部に保留されていた真硬貨の枚数とを比較し、前者が後者に満たないときは、返却動作を所定回数繰り返して実行する。これにより、内部に残留している非金属の偽硬貨を排出できる可能性をより一層高めることができる。
【００１５】
本発明の実施形態においては、返却口へ返却される硬貨を検出する第３の検出手段が設けられる。この第３の検出手段は、典型的には、金属物体の検出が可能で非金属物体の検出が不可能な金属検知センサ（例えば磁気センサ）から構成される。しかし、これに限らず、第３の検出手段として、不透明物体の検出が可能で透明物体の検出が不可能な光センサ（例えばＣＣＤセンサ）を用いてもよい。光センサを用いた場合は、透明な偽硬貨を検出できないため、透明樹脂で形成された偽硬貨が投入された際に、磁気センサの場合と同様の問題が発生するが、本発明によってこの問題を解決することができる。
【発明の効果】
【００１６】
本発明によれば、偽硬貨が内部に残留したとしても、一時保留部の硬貨を通路チェック用の硬貨に利用することで、偽硬貨を含む投入硬貨の全てが返却口へ返却されるため、係員による対応を極力減らすことができるとともに、顧客とのトラブルも回避することができる。
【発明を実施するための最良の形態】
【００１７】
図１は、本発明に係る硬貨処理装置の内部構造図である。１は硬貨処理装置１００の筐体であって、その上面の一端側には入出金口２が設けられている。入出金口２には、入金される硬貨３が投入され、また出金される硬貨や返却される硬貨が放出される。この入出金口２は、本発明における返却口の一実施形態である。入出金口２の内部には、投入硬貨や放出硬貨を受ける回転自在なバケット２ａが設けられている。４は繰出し部であって、バケット２ａの回転によって入出金口２から下方へ放出された硬貨を１枚づつ分離して鑑別部５へ送り出す。鑑別部５は、入金される硬貨の真偽および金種を鑑別するとともに、出金される硬貨の金種を鑑別する。６は一時保留部であって、鑑別部５で真硬貨であると鑑別された硬貨を一時的に保留する。
【００１８】
７は入金された硬貨を金種別に収納する金種別スタッカ、８は入金された硬貨を搬送する入金搬送部である。入金取引が成立すると、一時保留部６に保留されている硬貨は、鑑別部５を通って金種を鑑別された後、入金搬送部８により金種別スタッカ７に振分けられる。入金搬送部８は、本発明における第１の搬送手段の一実施形態である。９は出金搬送部であって、横搬送部９１および縦搬送部９２からなる。横搬送部９１は、硬貨を搬送するベルトと、ベルト上の硬貨を１枚ずつ分離して縦搬送部９２へ送り出す分離機構とを備えている。縦搬送部９２は、対向するベルト間に硬貨を挟んで搬送する機構となっている。出金搬送部９は、本発明における第２の搬送手段の一実施形態である。１０は水平搬送ベルトであって、出金時に金種別スタッカ７の下部から放出される硬貨をベルト上で受けて、出金搬送部９へ送る。
【００１９】
１１は硬貨カセットであって、各金種の硬貨が混在して収納されている。１２は硬貨カセット１１から繰り出される硬貨を搬送し、また硬貨カセット１１へ収納される硬貨を搬送する縦搬送部である。硬貨カセット１１は、始業時に硬貨処理装置１００にセットされ、収納硬貨を繰り出して金種別スタッカ７へ分配する。このとき、繰り出された硬貨は、縦搬送部１２から出金搬送部９を通って入出金口２へ放出され、繰出し部４により１枚ずつ繰り出されて鑑別部５で金種を鑑別された後、入金搬送部８により金種別スタッカ７に振分けられる。
【００２０】
１３は回収カートリッジであって、入出金口２に残っている取り忘れ硬貨や、出金硬貨のうち鑑別結果が異常と判定されたリジェクト硬貨などを回収する。１４は一括スタッカであって、金種別スタッカ７が満杯となった場合に、スタッカ７へ振分けることの出来ない入金硬貨を回収する。この一括スタッカ１４には、各金種の硬貨が混在して収納される。また、一括スタッカ１４は、金種別スタッカ７の硬貨残量が少なくなると、収納硬貨を繰り出して金種別スタッカ７へ補充する。このとき、繰り出された硬貨は、縦搬送部１２から出金搬送部９を通って入出金口２へ放出され、繰出し部４により１枚ずつ繰り出されて鑑別部５で金種を鑑別された後、入金搬送部８により金種別スタッカ７に振分けられる。
【００２１】
２１は入出金口２の内部に設けられた入出金口センサであって、フォトセンサからなり、入出金口２における硬貨の有無を検出する。この入出金口センサ２１は、本発明における第１の検出手段の一実施形態である。図１では便宜上１個のセンサのみを図示しているが、実際には複数のセンサが入出金口２の内部に配置されており、これらのセンサでバケット２ａ内の硬貨を検出するようになっている。２２は一時保留部６における硬貨の有無を検知するための一時保留部センサであって、例えばフォトセンサからなる。この一時保留部センサ２２は、本発明における第２の検出手段の一実施形態である。２３は磁気センサからなる出金判別部であって、入出金口２の付近（出金搬送部９の出口）に設けられている。この出金判別部２３は、本発明における第３の検出手段の一実施形態である。
【００２２】
図２は、入出金口２に投入された硬貨が真硬貨である場合の搬送経路（実線矢印）を示した図である。投入硬貨は繰出し部４で１枚に分離され、鑑別部５で真硬貨と判定されると、入金搬送部８により搬送され、一時保留部６の手前にある図示しないフラッパの一方側への切替によって、一時保留部６へ導かれる。
【００２３】
図３は、入出金口２に投入された硬貨が偽硬貨である場合の搬送経路（点線矢印）を示した図である。投入硬貨は繰出し部４で１枚に分離され、鑑別部５で偽硬貨と判定されると、入金搬送部８により搬送され、一時保留部６の手前にある図示しないフラッパの他方側への切替によって、出金搬送部９の横搬送部９１の上へ落下させられ、横搬送部９１から縦搬送部９２を通って入出金口２へ返却される。
【００２４】
図４は、硬貨処理装置１００の電気ブロック図である。なお、ここでは本発明に関係するブロックのみを図示している。５は鑑別部、２１は入出金口センサ、２２は一時保留部センサ、２３は出金判別部であって、これらは図１で示したものと同じものである。３０は、図１で示した入金搬送部８や出金搬送部９などを含む搬送部であって、搬送ベルトやフラッパなどを駆動するためのモータやソレノイド等から構成される。３１はＲＯＭやＲＡＭ等からなるメモリであって、ＲＡＭの領域には、硬貨の枚数をカウントする枚数カウンタ３１ａが設けられている。この枚数カウンタ３１ａは、本発明における計数手段の一実施形態である。３２はＣＰＵからなる制御部であって、硬貨処理装置１００の動作全体を制御する。２００は上位装置であって、硬貨処理装置１００が内蔵されるＡＴＭから構成される。
【００２５】
図５は、枚数カウンタ３１ａの領域を示した図である。枚数カウンタ３１ａには、鑑別部５で真と判定された真硬貨の枚数を計数するカウンタＡ、鑑別部５で偽と判定された金属偽硬貨の枚数を計数するカウンタＢ、鑑別部５で偽と判定された非金属偽硬貨（例えば樹脂製の偽硬貨）の枚数を計数するカウンタＣ、および鑑別部５が鑑別した硬貨の枚数を計数するカウンタＤの各領域が設けられている。カウンタＤの値は、カウンタＡ〜Ｃの値の合計値である。カウンタＢは本発明における第１の計数手段の一実施形態であり、カウンタＣは本発明における第２の計数手段の一実施形態である。
【００２６】
次に、上述した構成を備えた硬貨処理装置１００の動作について説明する。図６は全体の動作を示したフローチャートであって、制御部３２により実行される手順を示している。
【００２７】
図６において、最初に、入出金口２に硬貨が投入されたか否かを、入出金口センサ２１の出力に基づいて判定する（ステップＳ１）。入出金口２に硬貨が投入されたことが検出されると(ステップＳ１：ＹＥＳ)、入出金口２の上部に設けられている図示しないシャッタを閉じ（ステップＳ２）、繰出し部４によって投入硬貨を１枚づつ分離して鑑別部５へ搬送する（ステップＳ３）。鑑別部５は、繰出し部４から送られてきた硬貨の真偽を鑑別する（ステップＳ４）。このとき、硬貨の金種も同時に鑑別される。
【００２８】
鑑別部５での鑑別の結果、投入された硬貨が真硬貨であれば（ステップＳ５：ＹＥＳ）、当該硬貨を入金搬送部８により搬送し、前述したように、一時保留部６の手前にあるフラッパ（図示省略）を一方側へ切り替えて、真硬貨を一時保留部６へ保留する（ステップＳ１８）。また、鑑別部５での鑑別の結果、投入された硬貨が偽硬貨であれば（ステップＳ５：ＮＯ）、その硬貨が樹脂等からなる非金属の偽硬貨であるか否かを判定する（ステップＳ６）。鑑別部５は、金属物体と非金属物体とを識別できる性能を有しているので、同じ偽硬貨であっても、それが金属の偽硬貨なのか、非金属の偽硬貨なのかを区別して判定することができる。
【００２９】
鑑別の結果、偽硬貨が非金属の偽硬貨と判定された場合は（ステップＳ６：ＹＥＳ）、図５に示した非金属偽硬貨の枚数を計数するカウンタＣの値に＋１を加算する。一方、偽硬貨が金属の偽硬貨と判定された場合は（ステップＳ６：ＮＯ）、金属偽硬貨の枚数を計数するカウンタＢの値に＋１を加算する。その後、入金搬送部８で偽硬貨を搬送し、前述したように、一時保留部６の手前にあるフラッパ（図示省略）を他方側へ切り替えて、出金搬送部９の横搬送部９１の上へ偽硬貨を落下させ、横搬送部９１および縦搬送部９２によって偽硬貨を入出金口２へ返却する（ステップＳ９）。そして、投入された全硬貨について真偽判定が終了したか否かをチェックして（ステップＳ１０）、判定が終了してなければ（ステップＳ１０：ＮＯ）、ステップＳ３へ戻って、次の硬貨を鑑別部５へ搬送して上述したステップＳ４〜Ｓ９、Ｓ１８の処理を実行する。
【００３０】
全硬貨について真偽判定が終了すれば（ステップＳ１０：ＹＥＳ）、枚数カウンタ３１ａを参照して、鑑別した硬貨の中に非金属の偽硬貨があるか否かを判定する（ステップＳ１１）。図５におけるカウンタＣの計数値が０であれば非金属の偽硬貨はなく、カウンタＣの計数値が１以上であれば、非金属の偽硬貨があることになる。
【００３１】
非金属の偽硬貨がないと判断した場合は（ステップＳ１１：ＮＯ）、一時保留部６に保留されている硬貨（真硬貨）を金種別スタッカ７へ振分ける（ステップＳ１４）。この場合、一時保留部６の硬貨は、出金搬送部９の横搬送部９１のベルト上に落下し、横搬送部９１および縦搬送部９２により入出金口２へ放出された後、繰出し部４により鑑別部５へ送られ、鑑別部５で金種が鑑別される。金種鑑別された硬貨は、入金搬送部８により搬送され、当該金種に対応する金種別スタッカ７へ振分けられて収納される。これで一取引の処理が終了する。このとき、枚数カウンタ３１ａの各計数値は０にリセットされる。
【００３２】
一方、非金属の偽硬貨があると判断した場合は（ステップＳ１１：ＹＥＳ）、カウンタＢおよびカウンタＣの計数値を参照して、非金属の偽硬貨が１枚のみで、金属の偽硬貨が含まれていないか否かを判定する（ステップＳ１２）。カウンタＢの計数値が０で、カウンタＣの計数値が１であれば、非金属の偽硬貨１枚のみで金属の偽硬貨はないと判定する（ステップＳ１２：ＹＥＳ）。このように判定した場合は、さらに、入出金口２に硬貨があるか否かを入出金口センサ２１の出力に基づいて判定する（ステップＳ１３）。入出金口センサ２１は、前述のようにフォトセンサから構成されているので、入出金口２に非金属の偽硬貨があればこれを検出する。この場合の偽硬貨は、ステップＳ９において入出金口２へ返却された偽硬貨である。
【００３３】
入出金口２に偽硬貨が検出された場合は（ステップＳ１３：ＹＥＳ）、投入された１枚の偽硬貨が正しく返却されたことになるので、硬貨処理装置１００の内部に他の偽硬貨が残留している可能性はない。したがって、一時保留部６に保留されている真硬貨を金種別スタッカ７へ振り分けて（ステップＳ１４）、処理を終了する。
【００３４】
一方、入出金口２に偽硬貨が検出されなかった場合は（ステップＳ１３：ＮＯ）、投入された１枚の偽硬貨が正しく返却されず、出金搬送部９の搬送路内に滞留している可能性がある。出金搬送部９の縦搬送部９２では、硬貨は１枚ずつ分離された状態でベルトに挟まれて搬送されるので、偽硬貨が滞留する可能性は殆どないが、横搬送部９１では、落下した偽硬貨の姿勢等によっては分離機構で分離されずに滞留する場合がある。また、変形した偽硬貨の場合も横搬送部９１で滞留する可能性がある。
【００３５】
そこで、この場合は、一時保留部６の硬貨による通路チェックを行って滞留硬貨を排出するために、まず、一時保留部６に硬貨があるか否かを判定する（ステップＳ１５）。この判定は、一時保留部センサ２２の出力に基づいて行われる。そして、判定の結果、一時保留部６に硬貨があれば（ステップＳ１５：ＹＥＳ）、保留されている全ての硬貨（真硬貨）を出金搬送部９によって入出金口２へ返却する全返却処理を実行する（ステップＳ１６）。
【００３６】
図７は、上記ステップＳ１６における全返却処理の詳細手順を示したフローチャートである。この手順は、制御部３２によって実行される。全返却処理が開始されると、一時保留部６の下部に設けられている図示しないシャッタを開放して、一時保留部６に保留されている全ての硬貨（真硬貨）を、横搬送部９１の搬送ベルト上に落下させる（ステップＳ２１）。その後、出金搬送部９を駆動して、横搬送部９１および縦搬送部９２により真硬貨を入出金口２へ搬送する（ステップＳ２２）。これによって、一時保留部６の硬貨による出金搬送部９の通路チェックが行われる。例えば、横搬送部９１において偽硬貨が立った姿勢で滞留している場合は、一時保留部６から放出されたまとまった量の真硬貨によって、偽硬貨は倒され、あるいは攪拌されて、真硬貨に混在して搬送路を移動し、縦搬送部９２から入出金口２へ排出される。このとき、入出金口２へ返却される真硬貨の枚数を出金判別部２３によりカウントする（ステップＳ２３）。
【００３７】
次に、一時保留部６に保留されていた真硬貨の枚数（以下「保留枚数」という）と、入出金口２へ返却された真硬貨の枚数（以下「返却枚数」という）とを比較する（ステップＳ２４）。保留枚数は、鑑別部５で真硬貨と判定された硬貨の枚数であって、カウンタＡの計数値を参照することにより得られる。なお、一時保留部６の入口に、保留される硬貨を検出するセンサを設け、このセンサによって保留枚数を計数するようにしてもよい。返却枚数は、出金判別部２３による計数結果から得られる。これらの枚数を比較した結果、返却枚数が保留枚数に達している場合は(ステップＳ２４：ＮＯ)、一時保留部６の全硬貨を返却したと判定して(ステップＳ２５)、処理を終了する。
【００３８】
一方、返却枚数が保留枚数に満たない場合は(ステップＳ２４：ＹＥＳ)、出金搬送部９に滞留硬貨があると判定し(ステップＳ２６)、続いて、リトライ回数が３回を超えたか否かを判定する(ステップＳ２７)。リトライ回数が３回を超えてなければ（ステップＳ２７：ＮＯ）、出金搬送部９を再駆動してリトライ動作を実行する(ステップＳ２８)。リトライ動作実行後、ステップＳ２４へ戻って、返却枚数が保留枚数に達したか否かを再度判定し、達しておればステップＳ２５へ移行して処理を終了し、達してなければステップＳ２６〜Ｓ２８を反復する。そして、ステップＳ２７においてリトライ回数が３回を超えると（ステップＳ２７：ＹＥＳ）、エラー処理を行う（ステップＳ２９）。このエラー処理は係員によるエラー処理であって、上位装置（ＡＴＭ）２００の係員表示部（図示省略）に、例えば図８に示したようなメッセージが表示される。
【００３９】
図６へ戻って、ステップＳ１２での判定がＮＯの場合も、一時保留部６に硬貨があるか否かを判定し（ステップＳ１５）、硬貨があれば（ステップＳ１５：ＹＥＳ）、ステップＳ１６へ移行して上述した全返却処理を実行する。
【００４０】
例えば、非金属の偽硬貨が２枚以上の場合（カウンタＣの計数値が２以上の場合）、入出金口センサ２１は、返却硬貨の有無は検出できても枚数までは検出することができず、また、出金判別部２３は金属硬貨しか検出できないため、非金属の偽硬貨が全て入出金口２へ正しく返却できたか否かを判定することは不可能である。そこで、上述した全返却処理を実行することにより、たとえ内部に偽硬貨が滞留していた場合でも、当該偽硬貨を入出金口２へ排出することができる。
【００４１】
また、非金属の偽硬貨１枚のほかに金属の偽硬貨が１枚以上ある場合（カウンタＣの計数値が１で、カウンタＢの計数値が１以上の場合）や、非金属の偽硬貨と金属の偽硬貨がともに２枚以上ある場合（カウンタＣ、カウンタＢの計数値がともに２以上の場合）も、入出金口センサ２１は枚数検出ができず、出金判別部２３は非金属の偽硬貨を検出できないため、偽硬貨が正しく返却できたか否かの判定は不可能であるが、上述した全返却処理を実行することで、たとえ内部に偽硬貨が滞留していた場合でも、これを排出することができる。
【００４２】
なお、偽硬貨が金属の偽硬貨だけであって、非金属の偽硬貨が含まれない場合（カウンタＢの計数値が１以上で、カウンタＣの計数値が０の場合）は、ステップＳ９で返却される金属の偽硬貨を出金判別部２３で計数できるので、偽硬貨が正しく返却できたか否かを判定することができる。したがって、あえて全返却処理を行う必要はない。この場合は、ステップＳ１１での判定がＮＯとなり、一時保留部６の硬貨が金種別スタッカ７へ振分けられる（ステップＳ１４）。
【００４３】
ステップＳ１５において、一時保留部６に硬貨がないと判定された場合（ステップＳ１５：ＮＯ）は、もはや装置自身による対応は不可能と判断し、エラー処理に移る（ステップＳ１７）。例えば、真硬貨が全く投入されずに非金属の偽硬貨だけが投入され、当該偽硬貨が入出金口２へ返却されなかった場合は、一時保留部６の硬貨による通路チェックができないため、エラー処理へ移る。このエラー処理も、図７のステップＳ２９と同様の係員によるエラー処理であって、ＡＴＭの係員表示部には、図８と同様のメッセージが表示される。
【００４４】
図９は、偽硬貨に対する判定パターンを本発明と従来とで対比して示した表である。非金属の偽硬貨の投入がない場合の判定パターン（パターン１〜４）は、本発明も従来も同じである。すなわち、硬貨の投入が全くない場合（パターン１）は、硬貨なしと判定され、真硬貨が投入された場合（パターン２）は、硬貨を正常に受け付けたと判定される。金属の偽硬貨が投入された場合で、一時保留部６に硬貨がない場合は（パターン３）、返却される偽硬貨が出金判別部２３で検出されるので返却ありと判定され、一時保留部６に硬貨がある場合は（パターン４）、真硬貨については正常に受け付けたと判定され、偽硬貨については返却ありと判定される。
【００４５】
非金属の偽硬貨が１枚だけ投入された場合の判定パターン（パターン５〜８）は、本発明と従来とで異なる。金属の偽硬貨の投入がなく、一時保留部６に硬貨がない場合（パターン５）、従来であれば、出金判別部２３で非金属の偽硬貨を検出できないため、エラー処理を行っていたが、本発明では、入出金口センサ２１が偽硬貨を検出することで返却ありと判定されるので、エラー処理を行わなくても済む（図６のステップＳ１２〜Ｓ１４）。
【００４６】
また、金属の偽硬貨の投入がなく、一時保留部６に硬貨がある場合（パターン６）も、従来であれば、非金属の偽硬貨を検出できないため、エラー処理を行っていたが、本発明では、真硬貨については正常に受け付けたと判定され、偽硬貨については返却ありと判定されるので、エラー処理を行わなくても済む（図６のステップＳ１２〜Ｓ１４、Ｓ１８）。
【００４７】
一方、金属の偽硬貨の投入があって、一時保留部６に硬貨がない場合（パターン７）は、従来では前記理由によりエラー処理を行っており、本発明でも、非金属の偽硬貨と金属の偽硬貨が全て入出金口２へ返却されたか否かは入出金口センサ２１では判別できず、一時保留部６の硬貨による通路チェックも不可能なため、エラー処理を行う（図６のステップＳ１２、Ｓ１５、Ｓ１７）。
【００４８】
また、金属の偽硬貨の投入があって、一時保留部６に硬貨がある場合（パターン８）は、従来では前記理由によりエラー処理を行っていたが、本発明では、一時保留部６の硬貨を使って通路チェックを実行することで、偽硬貨を含む全ての硬貨を返却できるので、全返却と判定される（図６のステップＳ１２、Ｓ１５、Ｓ１６）。
【００４９】
非金属の偽硬貨が２枚以上投入された場合の判定パターン（パターン９〜１２）も、本発明と従来とで異なる。金属の偽硬貨の投入がなく、一時保留部６に硬貨がない場合（パターン９）は、従来では出金判別部２３で非金属の偽硬貨を検出できないためエラーとなり、本発明でも入出金口センサ２１で全ての偽硬貨の返却を確認できず、通路チェックも実行不可能なためエラーとなる（図６のステップＳ１２、Ｓ１５、Ｓ１７）。しかし、一時保留部６に硬貨がある場合（パターン１０）は、従来では前記理由によりエラーとなるが、本発明では通路チェックが可能なため、全返却と判定される（図６のステップＳ１２、Ｓ１５、Ｓ１６）。
【００５０】
また、金属の偽硬貨の投入があり、一時保留部６に硬貨がない場合（パターン１１）は、従来では前記理由によりエラーとなり、本発明でも入出金口センサ２１で全ての偽硬貨を確認できず、通路チェックも実行不可能なためエラーとなる（図６のステップＳ１２、Ｓ１５、Ｓ１７）。しかし、一時保留部６に硬貨がある場合（パターン１２）は、従来では前記理由によりエラーとなるが、本発明では通路チェックが可能なため、全返却と判定される（図６のステップＳ１２、Ｓ１５、Ｓ１６）。
【００５１】
図９からわかるように、パターン５、６、８、１０、１２の場合は、従来では判定がエラーとなって係員による対応が必要であったのに対し、本発明では判定がエラーとならず係員対応が不要であるため、係員によるエラー処理の発生を極力減らすことができる。また、パターン７、９、１１の場合は、本発明でも係員による対応が必要となるが、これらの場合は、偽硬貨のみが投入されるレアケースであるので、実運用上は殆ど支障は生じない。
【００５２】
なお、図９の判定パターンでは、偽硬貨以外の金属異物（クリップなど）が投入された場合について考慮していないが、金属異物の投入有無を考慮した判定パターンを採用することも可能である。図１０は、この場合の判定パターンを示した表である。金属異物の投入があった場合は、当該異物は入出金口２の内部に備わっている異物除去手段（例えば磁石）により、装置内部に取り込まれるのが阻止され、図１０では返却ありとして処理される。
【００５３】
以上のようにして、上記実施形態によれば、非金属の偽硬貨が内部に残留したとしても、一時保留部６の硬貨を通路チェック用の硬貨に利用して、偽硬貨を入出金口２へ返却することができる。この場合、一時保留部６に保留されていた真硬貨も入出金口２へ排出されるので、結果として、顧客の投入した全ての硬貨（偽硬貨も含む）が返却されることになる。したがって、係員対応によるエラー処理を行う必要はなく、顧客とのトラブルも回避することができる。さらに、通路チェック用の硬貨を別に準備する必要がなく、現金管理も容易になる。
【００５４】
また、偽硬貨が非金属の偽硬貨１枚のみで入出金口２の返却硬貨が検出されない場合や、偽硬貨の枚数が２枚以上の場合に、一時保留部６に硬貨があれば全返却を行い、一時保留部６に硬貨がない場合に係員対応のエラー処理を行うようにしているので、偽硬貨が投入された場合の処理を状況に応じて的確に効率良く実行することができる。
【００５５】
また、全返却処理において、入出金口２へ返却される真硬貨の枚数と、一時保留部６に保留されていた真硬貨の枚数とを比較し、前者が後者に満たないときは、返却動作を所定回数繰り返して実行するようにしているので、内部に残留している非金属の偽硬貨を排出できる可能性をより一層高めることができる。
【００５６】
以上においては、出金判別部２３を磁気センサで構成した場合の問題点を解決する視点から本発明を説明したが、出金判別部２３を従来のようなＣＣＤ等の光センサで構成した場合でも、本発明は実施可能である。この場合、出金判別部２３は透明体を検出することができないので、透明樹脂で形成された偽硬貨が投入されると、結果的に磁気センサを用いた場合と同様の問題、すなわち偽硬貨が正しく返却できたか否かを確認することができないという問題が存在する。そこで、本発明のように、一時保留部６の硬貨を利用して通路チェックを行うことで、たとえ内部に偽硬貨が滞留していたとしても、偽硬貨を真硬貨とともに入出金口２へ返却することができる。なお、この場合の入出金口センサ２１には、透明体の検出が可能なセンサが用いられる。
【００５７】
上述した実施形態では、鑑別部５で非金属の偽硬貨が検出された場合に、枚数カウンタ３１ａの計数結果と、入出金口センサ２１の検出結果と、一時保留部センサ２２の検出結果とに基づいて、一時保留部６の硬貨を入出金口２へ全返却するか否かを決定したが、非金属の偽硬貨が検出された場合に、一時保留部６に保留硬貨があれば、当該硬貨を無条件に全返却するようにしてもよい。
【００５８】
また、上述した実施形態では、一時保留部６の硬貨の有無を一時保留部センサ２２で検出するようにしたが、枚数カウンタ３１ａのカウンタＡの値（真硬貨枚数）を参照することで、一時保留部６の硬貨の有無を検出するようにしてもよい。この場合は、カウンタＡの値が０であれば一時保留部６に硬貨がなく、カウンタＡの値が１以上であれば一時保留部６に硬貨があることになる。あるいは、前述したような一時保留部６の入口に設けた別のセンサを用いて、一時保留部６の硬貨の有無を検出するようにしてもよい。
【００５９】
また、上述した実施形態では、１つの入出金口２で硬貨の投入口と返却口とを兼用しているが、投入口と返却口とを別々に設けてもよい。
【００６０】
さらに、上記実施形態においては、ＡＴＭに内蔵される硬貨処理装置を例に挙げたが、本発明は、例えば銀行の係員が操作する硬貨処理装置や、自動券売機などに内蔵される硬貨処理装置にも適用することができる。
【図面の簡単な説明】
【００６１】
【図１】本発明に係る硬貨処理装置の内部構造図である。
【図２】投入硬貨が真硬貨である場合の搬送経路を示した図である。
【図３】投入硬貨が偽硬貨である場合の搬送経路を示した図である。
【図４】硬貨処理装置の電気ブロック図である。
【図５】枚数カウンタの領域を示した図である。
【図６】硬貨処理装置の全体の動作を示したフローチャートである。
【図７】全返却処理の詳細手順を示したフローチャートである。
【図８】係員表示部におけるメッセージの表示例である。
【図９】偽硬貨に対する判定パターンを示した表である。
【図１０】判定パターンの他の例を示した表である。
【符号の説明】
【００６２】
２    入出金口
３    硬貨
５    鑑別部
６    一時保留部
８    入金搬送部
９    出金搬送部
２１  入出金口センサ
２２  一時保留部センサ
２３  出金判別部
３１ａ  枚数カウンタ
１００  硬貨処理装置
【図１】
2006079428.tif 000003
【図２】
2006079428.tif 000004
【図３】
2006079428.tif 000005
【図４】
2006079428.tif 000006
【図５】
2006079428.tif 000007
【図６】
2006079428.tif 000008
【図７】
2006079428.tif 000009
【図８】
2006079428.tif 000010
【図９】
2006079428.tif 000011
【図１０】
2006079428.tif 000012